(57)【特許請求の範囲】
【請求項１】
可視光を射出する第１の照明光源と、写真フィルム面を透過した第１の照明光源からの可視光を受光し、受光量に応じたレベルの電気信号を生成する第１のラインセンサとを備え、写真フィルムに記録された画像の１ライン毎の読み取り時間を該写真フィルムに形成された画像の露光状態に応じて調整して行うフィルムスキャナであって、
赤外光を射出する第２の照明光源と、前記写真フィルム面を透過した第２の照明光源からの赤外光を受光し、受光量に応じたレベルの電気信号を生成する第２のラインセンサと、前記第２のラインセンサによる受光動作を未飽和領域で行わせる未飽和処理手段とを備え、
前記未飽和処理手段は、前記１ライン毎の画像読み取り時間を複数の時間幅に略等分割する分割手段と、
分割された各時間幅毎に、受光動作を前記複数の回数だけ繰り返す受光処理手段とを備えることを特徴とするフィルムスキャナ。
【請求項２】
前記第１及び第２の照明光源は、可視光及び赤外光成分を射出する１個の光源であることを特徴とする請求項１記載のフィルムスキャナ。
【請求項３】
前記未飽和処理手段は、各受光動作における各受光素子からの電気信号のレベルを加算する加算手段を備えることを特徴とする請求項１又は２記載のフィルムスキャナ。
【発明の詳細な説明】
【０００１】
【発明の属する技術分野】
本発明は、写真フィルムの画像を読み取るフィルムスキャナの技術に関する。
【０００２】
【従来の技術】
従来、現像済み写真フィルムの各コマの画像を光学的に読み取り（スキャンし）、次いで読み取った画像を露光装置を用いてシート状の感光紙に画像形成する写真処理装置が知られている。このような写真処理装置は、照明光源とＣＣＤなどのラインセンサを備えると共に写真フィルムを照明光源とラインセンサ間で定速移送する搬送系を備え、画像をライン単位で順次撮像してコマの画像を読み取るフィルムスキャナが一般的に採用されている。そして、このフィルムスキャナによって、先ず画像を粗目に読み取るプレスキャンを実行して各コマの画像の、特に濃度に関する露光状態を検出し、この検出結果を本スキャン時の１ライン分の読取時間に適用することで、露光状態の如何に関わらず、好適にフィルム画像を読み取るようにしている。
【０００３】
さらに、近年、フィルムスキャナに赤外成分も同時に射出する照明光源及び赤外光を受光し得るＣＣＤなどの赤外用ラインセンサを併用することで、可視光によるフィルム画像の読み取りと、赤外光によるフィルム画像の読み取りとを同期して行うものが提案されている（特許文献１）。これは、写真フィルムを透過する光のうち可視光は写真フィルム上の画像自体と写真フィルムに付いている傷などにも反応する一方、写真フィルムを透過する光のうち赤外光が画像自体には反応せず（画像の濃淡の影響を受けず）、写真フィルムに付いている傷等のみに反応することに着目したもので、これにより赤外光で撮像した写真フィルムに付いている傷等を検出したり、この傷画像等を利用して可視光で撮像した画像（画像情報、傷情報を含む）に含まれる傷画像等を画像処理技術で削除することを可能にしている。
【０００４】
【特許文献１】
特開２００１−１５７００３
【０００５】
【発明が解決しようとする課題】
しかしながら、本スキャンでのライン毎の読取時間は固定ではなく、プレスキャンの結果によって長短調整されるものである一方、赤外光はフィルム画像の露光状態の影響を受けないことから、読取時間が長く設定されたコマの画像を可視光と同期して赤外用ラインセンサで読み取ると、赤外用ラインセンサはより多くの電荷の蓄積を受ける結果、読み取り途中で飽和する場合があり、その結果、赤外画像中の傷画像等が識別し得なくなって写真フィルムの傷を検出することができなくなるという問題が生じる。
【０００６】
また、仮に赤外光をスキャンするために遮光シャッタ機能つきのＣＣＤを用いることも考えられるが、遮光シャッタ機能付のＣＣＤは非常に高価であり、フィルムスキャナを製品化する上でコストが嵩むという問題が生じる。さらに、赤外光用のＣＣＤとして電荷の蓄積容量が大きいものを使用することも考えられるが、一般的に広く普及している赤外光用のＣＣＤは、蓄積容量、蓄積時間が可視光用ＣＣＤと比べてさほど違いがないというのが現実である。
【０００７】
本発明は、上記課題を解決するためになされたものであり、読取時間の長短に関わらず赤外用ラインセンサの飽和を常に防止し、写真フィルム上の傷画像等を適正に読み取り可能にするフィルムスキャナを提供することを目的とする。
【０００８】
【課題を解決するための手段】
上記課題を解決するために、本発明に係るフィルムスキャナは、可視光を射出する第１の照明光源と、写真フィルム面を透過した第１の照明光源からの可視光を受光し、受光量に応じたレベルの電気信号を生成する第１のラインセンサとを備え、写真フィルムに記録された画像の１ライン毎の読み取り時間を該写真フィルムに形成された画像の露光状態に応じて調整して行うフィルムスキャナであって、赤外光を射出する第２の照明光源と、前記写真フィルム面を透過した第２の照明光源からの赤外光を受光し、受光量に応じたレベルの電気信号を生成する第２のラインセンサと、前記第２のラインセンサによる受光動作を未飽和領域で行わせる未飽和処理手段とを備え、前記未飽和処理手段は、前記１ライン毎の画像読み取り時間を複数の時間幅に略等分割する分割手段と、分割された各時間幅毎に、受光動作を前記複数の回数だけ繰り返す受光処理手段とを備えることを特徴とする。
【０００９】
本フィルムスキャナによれば、第２のラインセンサにより写真フィルムを透過した赤外光が受光され赤外画像が取得されるが、この場合、未飽和処理手段により、第２のラインセンサが飽和しないように受光動作が制御される。そのため、赤外画像に写真フィルムの傷等がより確実に表れることとなり、写真フィルムの傷等を正確に検出することができる。
【００１０】
更に、第１のラインセンサが、１ラインの画像を読み取る時間に対して、その時間がほぼ等分されるように、第２のラインセンサにより、１ライン分の画像が複数回に分けて読み取られるため、第２のラインセンサによる１回あたりの赤外光の受光時間が短縮され、第２のラインセンサの飽和が防止されることとなる。
【００１１】
また、前記第１及び第２の照明光源は、可視光及び赤外光成分を射出する１個の光源であることが好ましい。この場合、第１及び第２の照明光源が１個の光源で構成されるため、装置の小型化を図ることができる。
【００１２】
また、前記未飽和処理手段は、各受光動作における各受光素子からの電気信号のレベルを加算する加算手段を備えることが好ましい。
【００１３】
この場合、受光処理手段により、各受光素子からの電気信号のレベルが加算されるため、高階調でありながら写真フィルムの傷等の位置が正確に表された赤外画像を得ることができる。
【００１４】
【発明の実施の形態】
（第１実施形態）
図１は、本発明の第１実施形態に係るフィルムスキャナが適用された写真処理装置のブロック構成図を示している。写真処理装置は、現像処理された写真フィルムＦに形成された画像を読み取るスキャナ部１と、印画紙Ｐを露光する露光部２と、露光された印画紙Ｐを現像処理する現像処理部４と、写真処理装置全体の動作を統括的に制御する制御部５と、現像処理された印画紙Ｐを例えば顧客からのオーダー単位で配列するソータ６とを備えている。
【００１５】
スキャナ部１は、可視光成分及び赤外光成分を有する光を照射する光源部１１を備えている。光源部１１は、可視光成分及び赤外光成分を有する光を照射し、可視光用光源及び赤外光用光源として機能する照明光源１１１と、照明光源１１１の光を反射してほぼ平行光にする反射鏡１１２と、照明光源１１１の光を所望の色バランスに調整する調光フィルタ１１３と、光の色分布や強度分布を均一にするミラートンネル１１４とを備えている。照明光源１１１としては、例えばハロゲンランプや発光ダイオードなどが用いられる。
【００１６】
さらに、光源部１１は、写真フィルムＦを透過する光のうち可視光を受光することにより写真フィルムＦに形成された画像を読み取る第１のラインセンサ１１６と、写真フィルムＦを透過する光のうち赤外光を受光することにより赤外画像を読み取る第2のラインセンサ１１８と、写真フィルムＦの画像を第１のラインセンサ１１６に結像させるズームレンズユニット１１５と、ズームレンズユニット１１５を通過した光を可視光成分及び赤外光成分に分離するコールドミラー１１７とを備えている。
【００１７】
第１のラインセンサ１１６は、赤色（Ｒ）、緑色（Ｇ）、青色（Ｂ）の各色成分の光を受光する３個のＣＣＤを備えている。各ＣＣＤは、写真フィルムＦの長尺方向と直交する方向（幅方向）である主走査方向に複数、例えば５０００個の受光素子がライン状に配列されており、各受光素子の表面には対応する色のカラーフィルタが形成されている。第１のラインセンサ１１６によって受光された光は、電気信号に変換され、信号処理回路２０によって増幅及びＡ／Ｄ変換などの処理が施された後、制御部５に出力される。
【００１８】
第２のラインセンサ１１８は、赤外線の波長帯域の光を受光するＣＣＤラインセンサを備えている。このＣＣＤラインセンサは、主走査方向に複数、例えば５０００個の受光素子がライン状に配列されている。第２のラインセンサ１１８によって受光された光は、電気信号に変換され、信号処理回路２１によって増幅及びＡ／Ｄ変換などの処理が施された後、制御部５に出力される。
【００１９】
ズームレンズユニット１１５は、制御部５の指令に基づいて、写真フィルムＦのサイズ及びプリントする写真サイズに応じて複数段階にその倍率を変更するように制御される。
【００２０】
さらに、スキャナ部１のミラートンネル１１４とズームレンズユニット１１５との間には、写真フィルムＦを搬送するためのフィルム搬送機構２２が配設されている。写真フィルムＦがスキャン位置ＳＰに位置決めされると、１コマ分の画像の読み込み処理が開始される。写真フィルムＦは、フィルム搬送機構２２による写真フィルムＦの読み取り主走査方向と直交する方向である副走査方向への送り走査により、複数のスリット画像に分割され、１ラインの画像とされて順次第１のラインセンサ１１６及び第２のラインセンサ１１８によって読み取られ、Ｒ、Ｇ及びＢの色成分の画像信号並びに赤外成分の画像信号に光電変換される。さらに、スキャナ部１は、磁気読取ヘッド（図略）を備えており、この磁気読取ヘッドにより写真フィルムＦの磁気記録領域に記憶されているプリントサイズ情報などを読み取る。
【００２１】
露光部２は、本実施形態では、レーザ方式のものが採用されている。露光部２は、それぞれ赤、緑及び青色のレーザビームを射出するレーザ光源と、レーザ光源から射出されたレーザビームを画像データに応じて変調する音響光学変調素子と、変調されたレーザビームを合波する合波プリズムと、合波されたレーザビームを印画紙Ｐの幅方向（主走査方向）に走査するポリゴンミラーなどを備えている。
【００２２】
用紙搬送機構３は、印画紙Ｐを遮光状態で巻き回し収納するマガジン３１と、マガジン３１とは異なるあるいは同一サイズの印画紙Ｐを遮光状態で巻き回し収納するマガジン３２と、印画紙Ｐの搬送経路上の適所に配列された複数のローラ対３３と、印画紙Ｐの搬送経路上に配設され、印画紙Ｐを搬送するための搬送ベルト（図略）とを備えている。ローラ対３３は、従動ローラと駆動ローラとを備えている。駆動ローラには、モータ（図略）が取り付けられており、このモータによって駆動される。
【００２３】
さらに、用紙搬送機構３は、印画紙Ｐを単列で搬送する第１の搬送ライン３４及び印画紙Ｐを２列で搬送する第２の搬送ライン３５の２種類の搬送経路と、第１の搬送ライン３４及び第２の搬送ライン３５の間に配設され、マガジン３１あるいはマガジン３２から搬送された印画紙Ｐを第１の搬送ライン又は第２の搬送ラインに振り分ける振り分け装置３６とを備えている。
【００２４】
印画紙Ｐの搬送経路上であって、マガジン３１及び３２の下流側には、印画紙Ｐを所定の写真サイズに裁断するカッター対３７と、印画紙Ｐの裏面に例えば現像日などをプリントするバックプリンタ３８とが配設されている。バックプリンタ３８としては、例えばドットインパクトプリンタなどが採用されている。
【００２５】
現像処理部４は、それぞれ現像、漂白、定着及び安定化液を貯蔵する４つのタンク４１〜４４を備えている。露光部２が露光することにより形成された印画紙Ｐの潜像は、現像、漂白、定着及び安定化液に順次浸漬されることにより顕在化される。
【００２６】
制御部５は、ＣＰＵ（中央処理回路）、ＲＯＭ（リードオンリーメモリ）及びＲＡＭ（ランダムアクセスメモリ）などを含み、写真処理部５０、フィルム画像読取部５１、画像メモリ５２、読取時間設定部５３、プレスキャン情報記憶部５４、基本クロック信号生成部５５、ラインクロック信号生成部５６、赤外用ラインクロック信号生成部５７、搬送制御部５８、スイッチ５９、ラインバッファ６０、ラインバッファ６１、加算部６２、赤外画像メモリ６３、ノイズ検出部６４及びノイズ補正部６５を備えている。
【００２７】
写真処理部５０は、露光部２に含まれるポリゴンミラー、レーザ光源、変調タイミング及び用紙搬送機構３などの動作の同期を図り、画像メモリ５２に記憶された画像データを読み出し印画紙Ｐ上に１ライン単位で周期的に露光させるように、露光部２を制御する。
【００２８】
フィルム画像読取部５１は、信号処理回路２０で処理された画像データを読み取り、各画像データを写真フィルム上でのその画像の順番を表すコマ番号と対応づけて画像メモリ５２に記憶させる。本フィルムスキャナでは、写真フィルムＦに含まれる各画像の露光状態などを調べるために、予め写真フィルムＦに含まれる全ての画像を粗く読み取るプレスキャンモードと、プレスキャンによって得られた露光状態を基に、写真フィルムＦに含まれる画像を高精細で読み取る本スキャンモードとを有している。したがって、フィルム画像読取部５１は、プレスキャンモードにおいては、各画像を粗く読み取り、本スキャンモードにおいては、各画像を高精細に読み取る。
【００２９】
画像メモリ５２は、ＲＡＭなどで構成され、プレスキャンモードで読み取った画像（プレスキャン画像）を記憶する領域と、本スキャンモードで読み取った画像（本スキャン画像）を記憶する領域とを含み、フィルム画像読取部５１が読み取ったプレスキャン画像及び本スキャン画像をコマ番号と対応づけて、対応する領域に記憶する。
【００３０】
読取時間設定部５３は、画像メモリ５２に記憶されたプレスキャンモードで読み取られた画像を基に、画像毎の露光状態を判断し、本スキャン時における１ラインあたりの画像の読取時間を決定する。写真フィルムＦには、昼間に撮影した画像や、夕暮れ時に撮影した画像のように、撮影条件が異なる画像が含まれている。そこで、本フィルムスキャナでは、プレスキャンモードにおいて、予め写真フィルムＦに含まれる全ての画像を粗く読み取り、画像毎の平均濃度を算出し、この平均濃度を基に、各画像の露光状態を判断し、１ラインあたりの読み取り時間を決定している。例えば、平均濃度が高い画像（黒っぽい画像）は、ラインセンサに届く透過光量は少なく、得られる情報の精度は低い。したがって、得られる情報の精度を高めるためには、フィルムに記録された情報の読み取り時間を長くすることが好ましい。そこで、本フィルムスキャナでは、平均濃度が高い画像に対しては、１ラインあたりの画像読取時間を長くしている。
【００３１】
なお、複数のコマ画像の平均濃度を算出し、算出した平均濃度からこれら複数のコマ画像に適用する１ラインあたりの読み取り時間を決定してもよい。ここで複数のコマ画像とは、例えば、写真フィルム１本分や、ピースフィルム１本分に含まれるコマ画像が該当する。
【００３２】
プレスキャン情報記憶部５４は、読取時間設定部５３が決定した各画像の１ラインあたりの読み取り時間を、各画像に付与されたコマ番号と対応づけて記憶する。
【００３３】
基本クロック信号生成部５５は、例えばオシュレータなどで構成され、所定周期の基本クロック信号を生成する。基本クロック信号は、第２のラインセンサ１１８が、この周期で赤外光を受光しても飽和しない時間が設定されている。
【００３４】
ラインクロック信号生成部５６は、例えば周波数シンセサイザなどで構成され、基本クロック信号を基に、第１のラインセンサ１１６が、１ラインの画像を読み取る際の読み取りタイミングを決定するラインクロック信号を生成する。このラインクロック信号は、その周期が、プレスキャン情報記憶部５４に記憶された１ラインあたりのスキャン時間と一致するように生成される。このラインクロック信号を受信した第１のラインセンサ１１６は、可視光の受光を開始し、次のラインクロック信号を受信するまでに設けられた所定時間（画像の平均濃度により可変）、写真フィルムＦを透過する可視光を受光する。そして、次のラインクロック信号を受信すると再度、可視光の受光を開始し、その次のラインクロック信号を受信するまでに設けられた所定時間、写真フィルムＦを透過する光を受光する。
【００３５】
赤外用ラインクロック信号生成部（分割手段）５７は、例えば周波数逓倍回路などで構成され、ラインクロック信号生成部５６から出力されたラインクロック信号の周波数を整数倍することにより、第2のラインセンサ１１８が、１ラインの画像を読み取る際の読み取りタイミングを決定する赤外ラインクロック信号を生成する。本フィルムスキャナでは、ラインクロック信号の周波数を２倍して赤外ラインクロック信号を生成する。赤外ラインクロック信号を受信した第２のラインセンサ１１８は、次の赤外ラインクロック信号を受信するまでに設けられた所定時間、写真フィルムＦを透過する赤外光を受光する。赤外ラインクロック信号は、ラインクロック信号の周波数を２倍したものであり、また、フィルム搬送機構２２は、ラインクロック信号と同期して写真フィルムＦを搬送するため、第２のラインセンサ１１８は、１ライン分の画像を２回に分けて読み取ることとなる。
【００３６】
搬送制御部５８は、ラインクロック信号生成部５６からのラインクロック信号を受信すると、第１のラインセンサ１１６及び第２のラインセンサ１１８に次の１ラインの画像を読み取らせるために、フィルム搬送機構２２に写真フィルムＦを１ラインに相当する距離搬送させる。すなわち、搬送制御部５８は、第１のラインセンサ１１６及び第２のラインセンサ１１８による写真フィルムＦの１ライン分の画像の読み取りタイミングと写真フィルムＦとの搬送タイミングとの同期を図る。
【００３７】
スイッチ５９は、信号処理回路２１が、第２のラインセンサ１１８が２回に分けて読み取る１ラインの画像のうち１回目に読み取った画像データを出力する間は、信号処理回路２１とラインバッファ６０とを接続する。また、スイッチ５９は、信号処理回路２１が、第２のラインセンサ１１８が２回に分けて読み取る１ラインの画像のうち２回目に読み取った画像を出力する間は、信号処理回路２１とラインバッファ６１とを接続する。
【００３８】
ラインバッファ６０及び６１は、それぞれ例えば、シフトレジスタなどで構成され、信号処理回路２１の出力側にスイッチ５９を介して並列接続され、１ライン分の赤外画像を一時的に記憶する。ラインバッファ６０は、赤外画像の１ラインの画像のうち第２のラインセンサ１１８が１回目に読み取った１ラインの画像データを信号処理回路２１から１画素単位で順次受け付けて記憶する。ラインバッファ６１は、赤外画像の１ラインの画像のうち第２のラインセンサ１１８が２回目に読み取った１ライン分の画像データを信号処理回路２１から１画素単位で順次受け付けて記憶する。
【００３９】
加算部６２は、ラインバッファ６０及び６１に記憶された１ライン分の画像データを１画素単位で順次読み取り、読み取った１画素分の画像データを加算して赤外画像メモリ６３に順次出力する。
【００４０】
赤外画像メモリ６３は、加算部６２で加算部された赤外画像データを一時的に記憶する。
【００４１】
ノイズ検出部６４は、赤外画像メモリ６３に記憶された赤外画像データに基づいて、写真フィルムＦの傷や埃などの位置を検出する。赤外画像には撮影画像は含まれておらず、映し出された画像は、写真フィルムＦの傷や埃を表している。そのため、ノイズ検出部６４は、赤外画像に映し出された画像の位置を写真フィルムＦ上の傷等の位置として判断する。
【００４２】
ノイズ補正部６５は、ノイズ検出部６４が検出した画像データ中の傷等の位置を基に、画像メモリ５２に記憶された画像データに補正処理を施し、可視画像中に含まれる写真フィルムＦの傷等を除去する。例えば、ノイズ補正部６５は、傷が存在する位置の画素に対して、その傷の周辺画素を用いて補間処理を施すことにより、可視画像に含まれる写真フィルムＦの傷等を除去する。
【００４３】
モニタ７は、ＣＲＴ（陰極線管）、液晶パネルなどで構成され、写真現像処理装置全体の稼動状況や、オペレーターの操作を促すための操作画面などを表示する。
【００４４】
操作卓８は、マウス、キーボード、テンキーなどを含み、オペレーターの操作指令を受け付けて、制御部５に出力する。
【００４５】
次に、本フィルムスキャナの動作について説明する。まず、写真フィルムＦが光源部１１によりプレスキャンされ、読み取られたプレスキャン画像が画像メモリ５２に記憶される。画像メモリ５２に記憶されたプレスキャン画像は、読取時間設定部５３によって、平均濃度が算出され、この平均濃度を基に、各画像の１ラインあたりの読み取り時間が決定される。決定された各画像の１ラインあたりの読み取り時間は、その写真フィルムＦでの画像の順序を示すコマ番号と対応づけられてプレスキャン情報記憶部５４に記憶される。以上でプレスキャンが終了する。
【００４６】
プレスキャンが終了すると、写真フィルムＦは、先頭のコマ画像の１ライン目が、スキャン位置ＳＰまで引き戻され、光源部１１により、本スキャンが開始される。ラインクロック信号生成部５６は、対応する画像の１ラインあたりの読み取り時間をプレスキャン情報記憶部５４から読み取り、ラインクロック信号を生成する。信号処理回路２０は、ラインクロック信号に基づいて、第１のラインセンサ１１６及び第２のラインセンサ１１８に写真フィルムＦを透過する可視光及び赤外光を受光させる。
【００４７】
受光された可視光及び赤外光は、それぞれ第１及び第２のラインセンサ１１６及び１１８により電気信号に変換され、１画素単位で順次信号処理回路２０及び２１に出力される。ここで、第２のラインセンサ１１８は、第１のラインセンサ１１６が１ラインの画像を読み取る間に、その１ラインの画像を２回に分けて読み取る。そのため、第２のラインセンサ１１８の蓄積する電荷量が減少し、第２のラインセンサ１１８の飽和が防止される。
【００４８】
第１のラインセンサ１１６により読み取られた１ラインの画像は、画像メモリ５２に１画素単位で順次出力される。また、第２のラインセンサ１１８により読み取られた１ラインの画像のうち１回目に読み取られた画像は、ラインバッファ６０に１画素ずつ順次出力される。ラインバッファ６０が１ラインの画像データを記憶すると、スイッチ５９は、信号処理回路２１との接続をラインバッファ６１側に切り換える。これにより、２回目に読み取られた１ラインの画像は、ラインバッファ６１に１画素ずつ順次出力される。
【００４９】
ラインバッファ６１に１ライン分の画像データが記憶されると、加算部６２は、ラインバッファ６０及び６１に記憶された画像データを１画素ずつ順次加算していき、赤外画像メモリ６３に記憶させる。このような処理が繰り返し行われ、赤外画像メモリ６３に１コマ分の画像データが記憶されると、ノイズ検出部６４により、赤外画像メモリ６３に記憶された赤外画像を基に写真フィルムＦに含まれる傷等の位置が検出された後、ノイズ補正部６５により、可視画像に傷等の補正処理が施され、画像メモリ５２に記憶された可視画像が更新される。これにより、可視画像に含まれる写真フィルムＦの傷等が除去される。
【００５０】
画像メモリ５２及び赤外画像メモリ６３に１コマ分の画像データが記憶されると、フィルム搬送機構２２は、次のコマの１ライン目の画像がスキャン位置ＳＰに来るように写真フィルムＦを搬送する。
【００５１】
図２は、基本クロック信号、ラインクロック信号及び赤外ラインクロック信号の関係を示すタイミングチャートを示しており、（ａ）は周期がＴ０の基本クロック信号を示し、（ｂ）は周期が基本クロック信号の２倍である２Ｔ０に設定されたラインクロック信号を示し、（ｃ）は（ｂ）のラインクロック信号に対応する赤外ラインクロック信号を示し、（ｄ）は（ｃ）に対応する第2のラインセンサ１１８の電荷蓄積量を示している。１ライン分の可視画像は、ラインクロック信号のパルスが立ち上がってから次のラインクロック信号のパルスが立ち上がるまでの所定時間、第１のラインセンサ１１６により読み取られる。また、１ライン分の赤外画像は、赤外ラインクロック信号のパルスが立ち上がってから次の赤外ラインクロック信号のパルスが立ち上がるまでの所定時間、第２のラインセンサ１１８によって読み取られる。
【００５２】
図２に示すように、赤外ラインクロック信号の周期は、ラインクロック信号の周期の１／２倍（１／２Ｔ０）である。また、フィルム搬送機構２２は、ラインクロック信号に従って、写真フィルムＦを１ラインずつ搬送する。そのため、第２のラインセンサ１１８は、１ライン分の画像を２回に分けて読み取る。
【００５３】
上記従来技術でも述べたように、写真フィルムＦを透過する赤外光は、写真フィルム上の画像の濃淡には反応しないが、写真フィルムＦ上の傷等のみに反応するため、ほぼ一定となる。したがって、第2のラインセンサ１１８が単位時間あたりに受光する光量は、第１のラインセンサ１１６が単位時間あたりに受光する光量に比べて大きいこととなる。また、基本クロック信号の周期は、その周期とほぼ同一時間、第２のラインセンサ１１８が赤外光を受光した場合、第２のラインセンサ１１８が飽和する時間が設定されている。その結果、ラインクロック信号の周期が基本クロック信号の周期の１倍以上に設定された場合、（ｄ）の点線で示すように第２のラインセンサ１１８が、第１のラインセンサ１１６と同一時間、写真フィルムＦを透過する赤外光を受光すると、第２のラインセンサ１１８は飽和してしまい、赤外画像に写真フィルムＦの傷等が現れなくなる。
【００５４】
そこで、本フィルムスキャナは、第１のラインセンサ１１６が１ラインの画像を読み取る間にその１ライン分の画像を２回に分けて読み取り、第２のラインセンサ１１８の飽和を防止している。
【００５５】
（第２実施形態）
図３は、本発明に係るフィルムスキャナの第２実施形態を写真処理装置に適用した場合のブロック構成図を示している。第２実施形態のフィルムスキャナは、第１のラインセンサ１１６及び第２のラインセンサが読み取る１ラインあたりの画像読み取り時間を同一にしても、第２のラインセンサ１１８が飽和しないように、赤外光源１２１の光量を通常の光量の１／２に設定したものである。
【００５６】
第２実施形態のフィルムスキャナは、第１の実施形態のフィルムスキャナに加えて、赤外光を照射する赤外光源部１２と、赤外光源部１２の照射する赤外光の光量を制御するための赤外光源制御部６６とをさらに備えているとともに、コールドミラー１１７、赤外用ラインクロック信号生成部５７、スイッチ５９、ラインバッファ６０、６１及び加算部６２は省いた構成を有している。
【００５７】
赤外光源部１２は、赤外光源１２１、反射鏡１２２、ミラートンネル１２４、ズームレンズユニット１２５及び第２のラインセンサ１１８を備えている。
【００５８】
赤外光源制御部６６は、読取時間設定部５３が設定した各画像の１ラインあたりの読取時間にしたがって、第２のラインセンサ１１８が飽和しないように、赤外光源１２１から照射される赤外光の光量を制御する。赤外光源制御部６６は、例えば１ラインあたりの読取時間が、基本クロック信号の周期の１倍以下であるコマに関しては、赤外光の光量を通常の光量に設定し、１ラインあたりの読取時間が、基本クロック信号の周期の１倍よりも大きなコマに関しては、赤外光の光量を通常の光量の１／２に設定するというように、赤外光の光量を２段階で制御する。
【００５９】
第２実施形態では、第２のラインセンサ１１８と第１のラインセンサ１１６との１ラインあたりの画像読み取り時間が同一であるため、両センサ１１６及び１１８とも、共通のラインクロック信号に従って、１ラインずつ画像を読み取っていく。また、第２のラインセンサ１１８は１ラインの画像を複数回に分けて読み取らないため、信号処理回路２１で処理された画像データは、直接、赤外画像メモリ６３に出力される。
【００６０】
また、赤外光源１２１の光量は、通常の光量の１／２となるように赤外光源制御部６６により制御される。そのため、プレスキャンによって、１ラインあたりの画像読み取り時間が基本クロック信号の周期よりも大きく設定された画像を、第２のラインセンサ１１８で読み取った場合であっても、第2のラインセンサ１１８の飽和が防止される。
【００６１】
第２実施形態のフィルムスキャナは、照明光源部１１と赤外光源部１２とを分離しているため、可視画像と赤外画像とを同時に読み取ることはできない。そのため、本フィルムスキャナでは、第１のラインセンサ１１６が１コマの可視画像を読み取った後で、第２のラインセンサ１１８がその１コマの可視画像に対応する赤外画像を読み取ることになる。
【００６２】
なお、本発明のフィルムスキャナは以下の態様を採ることができる。
【００６３】
（１）上記第２実施形態では、赤外光源制御部６６が赤外光源１２１を制御することにより赤外光の調整を行っていたが、これに限定されず、ズームレンズユニット１２５と第２のラインセンサ１１８との間に透過する光量を調節することができる可変式のフィルタを配設し、赤外光源制御部６６が、この可変式のフィルタを制御して、赤外光の光量を調節してもよい。
【００６４】
（２）上記第２実施形態では、赤外光源制御部６６は、赤外光の光量が通常の光量の１／２となるように赤外光源１２１を制御したが、これに限定されず、読取時間設定部５３が決定した、１ラインあたりの画像読み取り時間に応じて、赤外光源１２１から照射される赤外光の光量が適切な値となるように段階的、あるいは、連続的に調節してもよい。
【００６５】
（３）上記第１及び第２実施形態のフィルムスキャナは、ノイズ補正部６５を設け、画像に表れた写真フィルムＦの傷を自動的に補正させていたが、これに限定されず、補正までは行わず、傷があることを報知するものであってもよい。
【００６６】
（４）上記第１実施形態では、第２のラインセンサ（分割手段）１１８は、１ラインの画像を２回に分けて読み取ったが、これに限定されず、３回以上に分けて読み取っても良い。この場合、赤外用ラインクロック信号生成部５７を構成する周波数逓倍回路は、分割数に応じて、基本クロック信号の周波数を整数倍すればよい。また、それに応じて、ラインバッファも増設すればよい。
【００６７】
（５）上記第１の実施形態では、加算部６２は、加算処理しているが、これに限定されず、分割して読み取られる画像のトータルの濃度が分かればよいため、そのトータルの濃度を算出することができるものであれば、加算以外の加減乗除あるいは、加減乗除を組み合わせたような演算処理を施しても良い。
【００６８】
（６）上記図２に示す例では、基本クロック信号と赤外ラインクロック信号との周期が同一となっているが、これに限定されない。すなわち、基本クロック信号の周期を図２で示す基本クロック信号の周期の１／ｎ（ｎは整数）倍とした場合であっても、第２のラインセンサ１１８が飽和しないように赤外ラインクロック信号の周期を設定する。加えて、赤外ラインクロック信号とラインクロック信号とを同期させればよい。そのためには、赤外ラインクロック信号の周期が、ラインククロック信号の周期及び基本クロック信号の周期の１／ｎ倍であれば、基本クロック信号に基づいて、ラインクロック信号と赤外クロック信号とを制御することが可能である。図２では、説明を容易にするため、基本クロック信号と赤外ラインクロック信号との周期を同一としているのである。
【００６９】
【発明の効果】
請求項１記載の発明によれば、赤外画像には写真フィルムの傷等がより確実に現れることとなり、写真フィルムの傷等をより正確に検出することができる。更に、第２のラインセンサによる１回あたりの赤外光の受光時間が短縮され、第２のラインセンサの飽和を防止することができる。
【００７０】
請求項２記載の発明によれば、装置の小型化を図ることができる。
【００７１】
請求項３記載の発明によれば、高階調でありながら、写真フィルム傷等の位置が正確に表された赤外画像を得ることができる。
【図面の簡単な説明】
【図１】  本発明の第１実施形態に係るフィルムスキャナが適用された写真処理装置のブロック構成図を示している。
【図２】  基本クロック信号、ラインクロック信号及び赤外ラインクロック信号の関係を示すタイミングチャートである。
【図３】  本発明の第２実施形態に係るフィルムスキャナが適用された写真処理装置のブロック構成図を示している。
【符号の説明】
１  スキャナ部
５  制御部（未飽和処理手段）
５１  露光制御部
５２  画像メモリ
５３  露光状態判断部
５４  プレスキャン情報記憶部
５５  基本クロック信号生成部
５６  ラインクロック信号生成部
５７  赤外用ラインクロック信号生成部
５８  搬送制御部
５９  スイッチ
６０  ラインバッファ
６１  ラインバッファ
６２  加算部
６３  赤外画像メモリ
６４  ノイズ検出部
６５  ノイズ補正部
１１１  照明光源
１１６  第１のラインセンサ
１２１  赤外光源
１１８  第２のラインセンサ
【図１】
0003705267.tif 000002
【図２】
0003705267.tif 000003
【図３】
0003705267.tif 000004